(57)【要約】【課題】  設置スペースの縮小化を図るとともにエンジン内の潤滑油の潤滑性を向上し、また潤滑油注入時における作業性に優れたパッケージ型発電装置およびその潤滑油注入方法を提供すること。【解決手段】  パッケージ型発電装置は、ベース１上に発電機３およびエンジン４を搭載して防音壁構造を有するパッケージ８で覆われている。エンジン４には潤滑油フィルター１３、ポンプ１４および配管１７を介して潤滑油タンク１６が接続されており、この潤滑油タンク１６はエンジン４の下側に配設されてエンジン４の発熱により暖められ易くなっている。潤滑油タンク１６内の潤滑油１１は、矢印で示すようにポンプ１４により定期的に循環され、不純物の少ない潤滑油１１がエンジン４内に供給されるようになっている。潤滑油１１を注入する作業は、潤滑油タンク１６および配管１７の空気抜き作業を行なうことなく、エンジン４の潤滑油注入口４ａから配管１７を介して潤滑油タンク１６内に注入して行なう。【選択図】  図１
2005127221.tif 000002
【特許請求の範囲】
【請求項１】
ベース上に発電機およびエンジンを搭載して防音壁構造を有するパッケージで覆ったパッケージ型発電装置において、前記エンジンにポンプおよび配管を介して接続される潤滑油タンクを設け、この潤滑油タンクを前記エンジンの下側に設けたことを特徴とするパッケージ型発電装置。
【請求項２】
前記潤滑油タンクおよび配管の空気抜き作業を行なうことなく、前記エンジンの潤滑油注入口から前記配管を介して前記潤滑油タンクに潤滑油を注入することを特徴とする請求項１に記載のパッケージ型発電装置の潤滑油注入方法。
【発明の詳細な説明】
【技術分野】
【０００１】
本発明は、発電機およびエンジンをパッケージで覆ったパッケージ型発電装置およびその潤滑油注入方法に関する。
【背景技術】
【０００２】
従来のパッケージ型発電装置の構造について図面を参照して説明する。
【０００３】
図２は一般的なパッケージ型発電装置を示し、同図（ａ）はその正面側の側壁を開口して示す正面図、同図（ｂ）は同図（ａ）をII−II線に沿って切断し矢印の方向に見た側面図である。図２（ａ）および（ｂ）において、ベース１上に防振ゴム２を介して、直結された発電機３とエンジン４が搭載されている。このエンジン４の図示左方向の側方には、エンジン４の排熱を熱交換するラジエータ５およびエンジン４とプーリーを介して連結されたラジエータファン６が設けられ、また図2（ａ）で示す発電機３の右方向側方には、発電装置を運転制御する制御盤７が設けられ、このラジエータ５および制御盤７も直接ベース１上に搭載されている。
【０００４】
これら発電機３およびエンジン４等の機器は、内壁に消音材を取り付けた防音壁構造を有するパッケージ８により覆われている。パッケージ８の上方には、排ガス消音器９が配設され、エンジン４にフレキシブル配管１０を介して接続されている。
【０００５】
上記のように構成されたパッケージ型発電装置は、エンジン４が起動して発電機３を回転させることにより発電を行ない、電力を供給するようになっている。
【０００６】
ところで、パッケージ型発電装置は、エンジン４を円滑に運転するためにエンジン４内部において潤滑と冷却を行なう潤滑油１１が使用されている。この潤滑油１１は長時間の使用によって不純物が発生するため、定期的に交換する必要がある。この潤滑油１１の定期交換に際し、エンジン４を停止すると、発電装置の稼動率が低下することになるので、この稼動率の低下を避けるために、パッケージ８の外部に潤滑油タンク１２を増設し、潤滑油フィルター１３、ポンプ１４および配管１５を介してエンジン４に接続し、矢印で示すようにポンプ１４により定期的に潤滑油１１を循環させて潤滑油フィルター１３で濾過された不純物の少ない潤滑油を供給するようにしている。
【０００７】
なお、４ａはエンジン４に設けられた潤滑油注入口、４ｂは潤滑油注入口４ａの近傍に設けられ、エンジン４の圧縮部から漏れたガスを大気に放出するブローバイ排出口である。
【発明の開示】
【発明が解決しようとする課題】
【０００８】
しかしながら、このような潤滑油タンク１２を設置するには、パッケージ８外部に、エンジン４と潤滑油タンク１２とを繋ぐ配管１５および潤滑油タンク１２の設置スペースが必要となり、発電装置の設置スペースが大きくなる問題があった。
【０００９】
また潤滑油１１の容量を増加させて、別置きされた潤滑油タンク１２内に潤滑油１１を溜めていると、発電装置の起動時や運転時において、潤滑油タンク１２内の潤滑油１１が暖まり難く、低温時における潤滑油の粘度が高いことから潤滑油フィルター１３を通過しにくくなる現象が生じ、潤滑油１１が正常に循環するまで時間がかかり、不純物の少ない潤滑油１１の供給が阻害されるおそれがあるという問題があった。
【００１０】
さらに発電装置の設置時や潤滑油１１を交換する時に、エンジン４および潤滑油タンク１２内に潤滑油１１を注入する際には、エンジン４に設けられた潤滑油注入口４ａから潤滑油１１を注入する作業を行なうことになるが、配管１５および潤滑油タンク１２内には空気が存在するため、潤滑油タンク１２の上部に設けた空気抜き用バルブ１２ａにより配管１５および潤滑油タンク１２内の空気抜き作業を行なう必要があり、潤滑油１１の注入作業時に多くの手間がかかるという問題があった。
【００１１】
本発明は上記事情に鑑みてなされたもので、その目的は、設置スペースの縮小化を図るとともにエンジン内の潤滑油の潤滑性を向上し、また潤滑油注入時における作業性に優れたパッケージ型発電装置およびその潤滑油注入方法を提供することにある。
【課題を解決するための手段】
【００１２】
上記の課題を解決するため、本発明のパッケージ型発電装置は、ベース上に発電機およびエンジンを搭載して防音壁構造を有するパッケージで覆ったパッケージ型発電装置において、エンジンにポンプおよび配管を介して接続される潤滑油タンクを設け、この潤滑油タンクをエンジンの下側に設けたことを特徴とする。
【００１３】
また本発明のパッケージ型発電装置の潤滑油注入方法は、前記パッケージ型発電装置において、潤滑油タンクおよび配管の空気抜き作業を行なうことなく、エンジンの潤滑油注入口から配管を介して潤滑油タンクに潤滑油を注入することを特徴とする。
【発明の効果】
【００１４】
本発明によれば、パッケージの外部に潤滑油タンク等の設置スペースを不要とすることができる。また潤滑油タンクはエンジンの近傍に位置し、発電機の起動時や運転時にエンジンの発熱が放射により伝達されることにより、潤滑油タンク内の潤滑油の粘度を速やかに適正な粘度にすることができる。しかもエンジンと潤滑油タンクは、上下に位置し、その間の配管も短いことから、潤滑油タンクおよび配管内の空気抜き作業を行なうことなく、潤滑油の注入作業を行なうことができる。
【発明を実施するための最良の形態】
【００１５】
以下、本発明の実施の形態を説明する。図１は本発明の一実施の形態にかかるパッケージ型発電装置を示し、同図（ａ）はその正面側の側壁を開口して示す正面図、同図（ｂ）は同図（ａ）をＩ−Ｉ線に沿って切断し矢印の方向に見た側面図である。従来と同一部分には同一符号を付してある。
【００１６】
図１（ａ）および（ｂ）において、ベース１上に防振ゴム２を介して、直結された発電機３およびエンジン４が搭載され、このエンジン４の下側に、後述する潤滑油タンク１６が設けられている。エンジン４の図示左方向の側方には、エンジン４の排熱を熱交換するラジエータ５およびエンジン４とプーリーを介して連結されたラジエータファン６が設けられ、また発電機３の図示右方向側方には、発電装置を運転制御する制御盤７が設けられ、このラジエータ５および制御盤７も直接ベース１上に搭載されている。
【００１７】
これら発電機３、エンジン４および潤滑油タンク１３等の機器は、内壁に消音材を取り付けた防音壁構造を有するパッケージ８により覆われている。パッケージ８の上方には、排ガス消音器９が配設され、エンジン４にフレキシブル配管１０を介して接続されている。
【００１８】
エンジン４の下側に配設された潤滑油タンク１６は、潤滑油フィルター１３、ポンプ１４および配管１７を介してエンジン４に接続されており、矢印で示すように定期的にポンプ１４を駆動することにより潤滑油１１を循環させて、不純物の少ない潤滑油タンク１６内の潤滑油１１をエンジン４に供給するようになっている。
【００１９】
かかる構成を有するパッケージ型発電装置においては、エンジン４の下側に潤滑油タンク１６を設置しているので、潤滑油タンクをパッケージ８の外部に設置するためのスペースおよび配管の設置スペースを省略することができ、しかも潤滑油タンク１６とエンジン４の距離が短いため、配管１７の構成を簡略化することができる。
【００２０】
また潤滑油タンク１６は、エンジン４の近傍に位置し、エンジン４の発熱により放射される熱により暖められ易いことから、発電装置の起動時や運転時において、潤滑油１１の温度を従来構造より早い時間で上昇させ、循環させるに適した粘度に下げることができ、エンジン４と潤滑油タンク１６間の配管１７が短いことと相俟って潤滑油１１が従来構造より早く循環し易くなり、エンジン４内の潤滑油１１の潤滑性が向上し、より安定して運転することができるようになる。
【００２１】
さらに潤滑油タンク１６をエンジン４の下側に設置することにより、エンジン４と潤滑油タンク１６は、上下に位置することになり、その間の配管１７も短いことから、発電装置の設置時のみならず潤滑油１１の交換時に行なう潤滑油１１の注入作業においても、潤滑油１１を潤滑油注入口４ａから注入すると、潤滑油タンク１６や配管１７内の空気が上昇してエンジン４内に移動し、エンジン４に設けられているブローバイ排出口４ｂより自然と大気に放出させることができる。このため潤滑油タンク１６および配管１７内の空気抜き作業を行なうことなく、エンジン４の潤滑油注入口４ａから潤滑油の注入作業を行なうことができる。
【図面の簡単な説明】
【００２２】
【図１】本発明の一実施の形態にかかるパッケージ型発電装置を示し、同図（ａ）はその正面側の側壁を開口して示す正面図、同図（ｂ）は同図（ａ）をＩ−Ｉ線に沿って切断し矢印の方向に見た側面図である。
【図２】一般的なパッケージ型発電装置を示し、同図（ａ）はその正面側の側壁を開口して示す正面図、同図（ｂ）は同図（ａ）をII−II線に沿って切断し矢印の方向に見た側面図である。
【符号の説明】
【００２３】
１…ベース
２…防振ゴム
３…発電機
４…エンジン
４ａ…潤滑油注入口
４ｂ…ブローバイ排出口
５…ラジエータ
６…ラジエータファン
７…制御盤
８…パッケージ
９…排ガス消音器
１０…フレキシブル配管
１１…潤滑油
１２，１６…潤滑油タンク
１２ａ…空気抜き用バルブ
１３…潤滑油フィルター
１４…ポンプ
１５，１７…配管
【図１】
2005127221.tif 000003
【図２】
2005127221.tif 000004